(57)【要約】      （修正有）【課題】ポスターなどの掲示物が、掲示板を構成する平板状の表示基板の表面側に掲示される際に、掲示物を傷つけるおそれがなく、確実に保持できる掲示板用の縁材及び、当該縁材が使用されている掲示板を提供する。【解決手段】掲示板を構成し表面側に掲示物２が掲示される平板状の表示基板３の周縁部に装着される掲示板用の縁材５を、掲示物２周縁の表面に当接する部分を弾性体とし、当該弾性体をバネ材８の付勢力で掲示物２周縁の表面に向けて押圧する構造にし、掲示板用の縁材が表示基板３の周縁部に装着される。【選択図】図１
0003209090.tif 000002
【実用新案登録請求の範囲】
【請求項１】
掲示板を構成し表面側に掲示物が掲示される平板状の表示基板の周縁部に装着される表示基板嵌合用溝条部と、前記掲示板が取付けられる壁面に当接固定される平面部とを備えている基材と、
前記表示基板嵌合用溝条部が開口している側と反対側における前記基材の前記表面側の端側に一方の端縁がヒンジ結合し、前記一方の端縁の反対側である他方の端縁が自由端となって、前記表示基板の前記表面側に掲示される前記掲示物の周縁を前記基材の側に向けて押圧することで前記表示基板への前記掲示物の押圧保持を行う押さえ材とよりなる掲示板用の縁材において、
前記基材は、前記押さえ材との間で前記ヒンジ結合が行われる前記端側に前記表示基板嵌合用溝条部と平行に伸びるヒンジ結合用の円柱部を有し、
前記押さえ材は、前記一方の端縁及び、前記自由端となる他方の端縁にそれぞれ前記基材の前記表示基板嵌合用溝条部と平行に伸びる断面円弧状の溝条部を有し、
前記押さえ材の一方の端縁に配備されている前記断面円弧状の溝条部が前記基材の前記円柱部に装着されて前記ヒンジ結合が形成され、
前記押さえ材の前記自由端となる他方の端縁に配備されている前記断面円弧状の溝条部に、前記表示基板嵌合用溝条部と平行に伸びて、前記押さえ材の前記自由端となる他方の端縁が前記掲示物の周縁を前記基材の側に向けて押圧する際に前記掲示物に対して外周の一部が当接する弾性条が収容され、
前記基材と前記押さえ材との間に付勢材が介装されていて、
前記押さえ材の前記自由端となる他方の端縁が前記ヒンジ結合によって前記表示基板嵌合用溝条部が開口している側における前記基材の前記表面側に向かって接近した際に、前記付勢材によって、前記自由端となる他方の端縁が前記基材に向かう方向に向けて付勢され、前記自由端となる他方の端縁が前記ヒンジ結合によって前記表示基板嵌合用溝条部が開口している側における前記基材の前記表面側から離れるときに前記自由端となる他方の端縁が、前記付勢材によって、逆方向に向けて付勢される
掲示板用の縁材。
【請求項２】
前記付勢材は、板ばねで、一端が前記ヒンジ結合用の円柱部が配備されている側の前記基材に係止され、他端が前記押さえ材の前記自由端となる他方の端縁の側に係止されている請求項１記載の掲示板用の縁材。
【請求項３】
表面側に掲示物が掲示される平板状の表示基板の周縁部を構成する相対向して平行に伸びる二辺及び、当該二辺に直交し、相対向して平行に伸びる他の二辺にそれぞれ請求項１又は２記載の掲示板用の縁材が装着固定され、隣接する前記縁材の端縁同士の間が連結されて前記表示基板の四周に枠体が配備された掲示板。
【請求項４】
表面側に掲示物が掲示される平板状の表示基板の周縁部を構成する相対向して平行に伸びる二辺にそれぞれ請求項１又は２記載の掲示板用の縁材が装着固定され、前記二辺に直交し、相対向して平行に伸びる他の二辺にそれぞれ断面コ状の他の縁材が装着固定され、隣接する前記掲示板用の縁材と前記断面コ状の他の縁材との端縁同士の間が連結されて前記表示基板の四周に枠体が配備されている掲示板。
【請求項５】
前記平板状の表示基板の周縁部を構成する相対向して平行に伸びる二辺の中のどちらか一方の二辺にそれぞれ装着固定されている前記縁材の間に、当該どちらか一方の二辺に装着固定されている前記縁材に平行に伸びて前記表示基板の表面側に掲示される前記掲示物を前記掲示物の表面側から押さえる押さえ板が１乃至複数配備されている請求項３又は４記載の掲示板。
【請求項６】
前記押さえ板は透明合成樹脂製で、開放縁が前記掲示物を案内する逆面取り構造になっている請求項５記載の掲示板。
【請求項７】
前記掲示板の前記枠体の四隅角部が湾曲面の連結材で連結されている請求項３又は４記載の掲示板。
【請求項８】
前記表示基板が、発泡板をアルミニウム板又はアルミニウム薄板で挟着した複合板である請求項３乃至７のいずれか一項に記載の掲示板。
【考案の詳細な説明】
【技術分野】
【０００１】
この考案は、ポスター、シート、紙、などからなる掲示物、例えば、広告、宣伝用の掲示物を掲示する掲示板用の縁材及び、当該縁材が使用されている掲示板に関する。
【背景技術】
【０００２】
宣伝、広告などで使用されるポスター、等を掲示する掲示板は広く使用されている。掲示板としては、表面側で掲示物を拡げて支える平板状の表示基板と、当該表示基板の周縁に装着されて、ポスター、等の周縁部を表示基板に押さえつけて支持する縁材とにより構成されるものがある。
【０００３】
この場合、前記縁材は、一般的に、表示基板の周縁部に固定されており、かつポスター、等の掲示物の周縁部を押圧保持する構造になっている。
【先行技術文献】
【特許文献】
【０００４】
【特許文献１】特公平１−４０９９７
【特許文献２】実開平５−９５３６２
【特許文献３】特開２００５−３４５８００
【考案の概要】
【考案が解決しようとする課題】
【０００５】
上述した構造の掲示板において、押さえ部をスプリングで付勢する提案が行われている（特許文献１）。この場合、スプリングなどを構成する金属や合成樹脂などの一部がポスター等に直接当接すると、ポスター等の支持力が不十分になるおそれがある。
【０００６】
また、押さえ部として、磁石を利用した押圧による提案もある（特許文献２）。磁石を利用する場合には、表示基板を磁性体とするか、磁石対応部に磁性体を設置しなければならない。
【０００７】
ポスター等との接触材にクッションを介装する提案も行われている（特許文献３）。この場合、構造上、当接圧力の調整がむつかしくなったり、構造が複雑になることがある。
【０００８】
そこで、この考案は、ポスターなどの掲示物が、掲示板を構成する平板状の表示基板の表面側に掲示される際に、掲示物を傷つけるおそれがなく、確実に保持できる掲示板用の縁材及び、当該縁材が使用されている掲示板を提案することを目的にしている。
【課題を解決するための手段】
【０００９】
掲示板を構成し表面側に掲示物が掲示される平板状の表示基板の周縁部に装着される掲示板用の縁材が、前記掲示物周縁の表面に当接する部分を弾性体とし、当該弾性体をバネ材の付勢力で前記掲示物周縁の表面に向けて押圧する構造にした掲示板用の縁材と、当該掲示板用の縁材が前記表示基板の周縁部に装着されてなる掲示板とによって課題の解決を図るものであって、以下の通りである。
【００１０】
［１］
掲示板を構成し表面側に掲示物が掲示される平板状の表示基板の周縁部に装着される表示基板嵌合用溝条部と、前記掲示板が取付けられる壁面に当接固定される平面部とを備えている基材と、
前記表示基板嵌合用溝条部が開口している側と反対側における前記基材の前記表面側の端側に一方の端縁がヒンジ結合し、前記一方の端縁の反対側である他方の端縁が自由端となって、前記表示基板の前記表面側に掲示される前記掲示物の周縁を前記基材の側に向けて押圧することで前記表示基板への前記掲示物の押圧保持を行う押さえ材とよりなる掲示板用の縁材において、
前記基材は、前記押さえ材との間で前記ヒンジ結合が行われる前記端側に前記表示基板嵌合用溝条部と平行に伸びるヒンジ結合用の円柱部を有し、
前記押さえ材は、前記一方の端縁及び、前記自由端となる他方の端縁にそれぞれ前記基材の前記表示基板嵌合用溝条部と平行に伸びる断面円弧状の溝条部を有し、
前記押さえ材の一方の端縁に配備されている前記断面円弧状の溝条部が前記基材の前記円柱部に装着されて前記ヒンジ結合が形成され、
前記押さえ材の前記自由端となる他方の端縁に配備されている前記断面円弧状の溝条部に、前記表示基板嵌合用溝条部と平行に伸びて、前記押さえ材の前記自由端となる他方の端縁が前記掲示物の周縁を前記基材の側に向けて押圧する際に前記掲示物に対して外周の一部が当接する弾性条が収容され、
前記基材と前記押さえ材との間に付勢材が介装されていて、
前記押さえ材の前記自由端となる他方の端縁が前記ヒンジ結合によって前記表示基板嵌合用溝条部が開口している側における前記基材の前記表面側に向かって接近した際に、前記付勢材によって、前記自由端となる他方の端縁が前記基材に向かう方向に向けて付勢され、前記自由端となる他方の端縁が前記ヒンジ結合によって前記表示基板嵌合用溝条部が開口している側における前記基材の前記表面側から離れるときに前記自由端となる他方の端縁が、前記付勢材によって、逆方向に向けて付勢される
掲示板用の縁材。
【００１１】
［２］
前記付勢材は、板ばねで、一端が前記ヒンジ結合用の円柱部が配備されている側の前記基材に係止され、他端が前記押さえ材の前記自由端となる他方の端縁の側に係止されている［１］の掲示板用の縁材。
【００１２】
［３］
表面側に掲示物が掲示される平板状の表示基板の周縁部を構成する相対向して平行に伸びる二辺及び、当該二辺に直交し、相対向して平行に伸びる他の二辺にそれぞれ［１］又は［２］の掲示板用の縁材が装着固定され、隣接する前記縁材の端縁同士の間が連結されて前記表示基板の四周に枠体が配備された掲示板。
【００１３】
［４］
表面側に掲示物が掲示される平板状の表示基板の周縁部を構成する相対向して平行に伸びる二辺にそれぞれ［１］又は［２］の掲示板用の縁材が装着固定され、前記二辺に直交し、相対向して平行に伸びる他の二辺にそれぞれ断面コ状の他の縁材が装着固定され、隣接する前記掲示板用の縁材と前記断面コ状の他の縁材との端縁同士の間が連結されて前記表示基板の四周に枠体が配備されている掲示板。
【００１４】
［５］
前記平板状の表示基板の周縁部を構成する相対向して平行に伸びる二辺の中のどちらか一方の二辺にそれぞれ装着固定されている前記縁材の間に、当該どちらか一方の二辺に装着固定されている前記縁材に平行に伸びて前記表示基板の表面側に掲示される前記掲示物を前記掲示物の表面側から押さえる押さえ板が１乃至複数配備されている［３］３又は［４］の掲示板。
【００１５】
［６］
前記押さえ板は透明合成樹脂製で、開放縁が前記掲示物を案内する逆面取り構造になっている［５］の掲示板。
【００１６】
［７］
前記掲示板の前記枠体の四隅角部が湾曲面の連結材で連結されている［３］又は［４］の掲示板。
【００１７】
［８］
前記表示基板が、発泡板をアルミニウム板又はアルミニウム薄板で挟着した複合板である［３］乃至［７］のいずれかの掲示板。
【考案の効果】
【００１８】
この考案によれば、ポスターなどの掲示物が、掲示板を構成する平板状の表示基板の表面側に掲示される際に、掲示物を傷つけるおそれがなく、確実に保持できる掲示板用の縁材及び、当該縁材が使用されている掲示板を提案することができる。
【図面の簡単な説明】
【００１９】
【図１】本考案の縁材の一実施形態を説明する図であって、（ａ）は正面図、（ｂ）は背面図、（ｃ）は側面図、（ｄ）は押さえ材を開いた場合の断面拡大図。
【図２】本考案の掲示板の一実施形態を説明する図であって、（ａ）は一部を省略した正面図、（ｂ）は側面図、（ｃ）は連結材の正面拡大図、（ｄ）は表示基板の一部断面拡大図。
【図３】図３図示の実施形態の使用状態における一部を省略した断面拡大図。
【図４】本考案の掲示板の他の実施形態を説明する図であって、（ａ）は一部を省略した正面図、（ｂ）は側面図、（ｃ）は断面コ状の縁材による装着固定状態を説明する断面拡大図。
【考案を実施するための形態】
【００２０】
（実施の形態１）
この考案の掲示板用の縁材の一実施形態を図１を参照して説明する。
【００２１】
図１図示の実施形態の縁材５は、基材１と、押さえ材６とを備えている。基材１、押さえ材６はいずれも軽量材で構成することができる。例えば、アルミニウム製あるいは、アルミニウム複合材製にすることができる。
【００２２】
基材１は表示基板嵌合用溝条部１ｂと、平面部１ａとを備えている。
【００２３】
表示基板嵌合用溝条部１ｂは、図１に示すように、断面コ状である。掲示板を構成し表面側にポスターなどの掲示物２が掲示される平板状の表示基板３の周縁部に表示基板嵌合用溝条部１ｂが装着される。
【００２４】
表示基板嵌合用溝条部１ｂに平板状の表示基板３の周縁部を嵌装しただけで平板状の表示基板３の周縁部に表示基板嵌合用溝条部１ｂを装着、固定することができるが、接着剤を介装して装着、固定してもよい。
【００２５】
平面部１ａは、掲示板が取付けられる壁面などに当接固定される。例えば、両面粘着テープ４を用いて、基材１の平面部１ａを壁面などに当接固定することができる。
【００２６】
押さえ材６は、その一方の端縁が、表示基板嵌合用溝条部１ｂが開口している側と反対側における基材１の表面側（図１における上側）の端側にヒンジ結合する。押さえ材６の当該一方の端縁の反対側である他方の端縁が自由端となって、表示基板３の表面側に掲示される掲示物２の周縁を基材１の側に向けて押圧することで表示基板３への掲示物２の押圧保持を行う。
【００２７】
基材１は、押さえ材６との間でヒンジ結合が行われる端側（図１における右端側）に、表示基板嵌合用溝条部１ｂと平行に伸びるヒンジ結合用の円柱部１ｃを備えている。
【００２８】
押さえ材６は、基材１との間でヒンジ結合を行う一方の端縁及び、自由端となる他方の端縁にそれぞれ基材１の表示基板嵌合用溝条部１ｂと平行に伸びる断面円弧状の溝条部６ａ、６ｂを備えている。
【００２９】
押さえ材６の一方の端縁に配備されている断面円弧状の溝条部６ａが基材１の円柱部１ｃに装着されてヒンジ結合が形成される。
【００３０】
押さえ材６の自由端となる他方の端縁に配備されている断面円弧状の溝条部６ｂに弾性条７が収容されている。弾性条７は、表示基板嵌合用溝条部１ｂと平行に伸びていて、押さえ材６の自由端となる他方の端縁が掲示物２の周縁を基材１の側に向けて押圧する際に、掲示物２に対して弾性条７の外周の一部が当接するように、溝条部６ｂ内に収容されている。
【００３１】
弾性条７は、例えば、ゴム製の円柱状体である。
【００３２】
基材１と押さえ材６との間には付勢材としての板バネ８が介装されている。
【００３３】
図１図示のように、板バネ８の一端は、ヒンジ結合用の円柱部１ｃが配備されている側の基材１が備えている係止突起１ｄに係止されている。一方、板バネ８の他端は、押さえ材６の自由端となる他方の端縁の側に配備されている係止突起６ｃに係止されている。
【００３４】
図１に破線で示しているように、押さえ材６の自由端となる他方の端縁がヒンジ結合によって表示基板嵌合用溝条部１ｂが開口している側における基材１の表面側に向かって接近した際に、板バネ８によって、矢印１０で示すように、押さえ材６の自由端となる他方の端縁が、基材１に向かう方向に向けて付勢される。
【００３５】
一方、押さえ材６の自由端となる他方の端縁がヒンジ結合によって表示基板嵌合用溝条部１ｂが開口している側における基材１の表面側から離れるときに、押さえ材６の自由端となる他方の端縁が、板バネ８によって、上述した矢印０で示す方向とは逆方向（すなわち、矢印９で示す方向）に向けて付勢される。
【００３６】
そこで、図１において破線で示したように、押さえ材６の自由端となる他方の端縁に配備されている断面円弧状の溝条部６ｂに収容されている弾性条７の外周の一部が掲示物２の周縁に当接する際、板バネ８によって矢印１０方向への付勢力が与えられ、掲示物２の周縁は、板バネ８による付勢押圧力と、ゴム製などの弾性条７による弾性力とによって適度に加圧保持される。この加圧保持は、板バネ８による付勢力と、ゴム製などの弾性条７による弾性力とによるもので、しかも、板バネ８の付勢力と、ゴム製などの弾性条７による弾性力の限度内での付勢力、弾性力の利用なので、同一の加圧保持力を長期にわたって保つことができる。
【００３７】
そして、図１において実線で示したように、押さえ材６の自由端となる他方の端縁が開放状態にあるときには、その状態が維持されるように板バネ８の付勢力が働く。
【００３８】
そこで、ゴム製などの弾性条７の当接部と、掲示物２との接触部を板バネ８の付勢により一層密にし、一方で、板バネ８の付勢力に抗して、例えば、工具などを使用しなければ、押さえ材６を簡単には解放できないようになっている。そこで、掲示板２０に掲示した掲示物２が徒に剥がされるおそれを少なくすることができる。
【００３９】
一方で、例えば、工具などを使用すれば、板バネ８の付勢力に抗して、簡単に押さえ材６を開放することができる。そこで、掲示物２の貼り替えが容易となり、労力と、時間を節減できる。
【００４０】
この実施形態によれば、ポスター等の掲示物２を押圧保持する当接部へ、断面円形の弾性条７を介装しているので、弾力による当接圧力を自動的に調節できると共に、適度の摩擦力によりポスター等を傷つけるおそれなく確実に保持できる。
【００４１】
この実施例の縁材５は、掲示板を構成し表面側にポスターなどの掲示物２が掲示される平板状の表示基板３の周縁部に表示基板嵌合用溝条部１ｂを装着し、両面粘着テープ４などを用いて、基材１の平面部１ａを壁面などに当接固定して使用される。
【００４２】
これによって、縁材５と、縁材５が周縁に装着されている表示基板３とからなる掲示板を壁面などに当接固定する。
【００４３】
断面コ状の表示基板嵌合用溝条部１ｂが周縁に装着される種々の表示基板３と組み合わせて掲示板を構成することができる。
【００４４】
（実施の形態２）
図２、図３を用いて、この考案の縁材５が使用されている、この考案の掲示板の一実施形態を説明する。
【００４５】
図３図示の掲示板２０は、実施の形態１で説明した縁材５が、平板状の表示基板３の周縁部を構成する相対向して平行に伸びる二辺及び、当該二辺に直交し、相対向して平行に伸びる他の二辺にそれぞれ装着固定され、隣接する縁材５、５、５、５の端縁同士の間が連結されて表示基板３の四周に枠体が配備された掲構造の示板である。
【００４６】
表示基板３は、発泡板３ｂをアルミニウム板又はアルミニウム薄板３ａ、３ａで挟着した複合板である。
【００４７】
表示基板３の四周に配備された縁材５、５、５、５からなる枠体の四隅角部は湾曲面の連結材２１、２１、２１、２１で連結されている。
【００４８】
これによって、枠体の四隅角部は連結材２１を介して円滑外面に連結されている。
【００４９】
連結材２１は、アルミニウム又は合成樹脂製とし、縁材５、５との連結片２１ａ、２１ａを有すると共に、上面を弧状に形成し、下面を縁材５と面一の平面（正面視扇状）として、壁等に当接できるようにしてある。
【００５０】
掲示板２０が幅広い場合には、表示基板３を適当な幅（例えば７００ｍｍ〜１０００ｍｍ）に分割して、図２（ａ）における、その左右縁を、継鋼板１５の左右縁上へ乗せ、図３図示のように、継鋼板１５の中央部へ、表示基板３の縁部と平行に螺筒１６を配置固定し、継鋼板１５と、表示基板３とを両面テープ１３で接着固定すれば、隣接している表示基板３、３を連結することができる。
【００５１】
螺筒１６には、止ビス１８で押さえ板１７を固定し、表示基板３の上面と、押さえ板１７の下面との間にポスター２の挿入空隙２３を設ける。縁材５、５と壁面２２とは、両面接着テープ４と、止ビス２４、２４で固定する。
【００５２】
このように、この実施形態では、平板状の表示基板３の周縁部を構成する相対向して平行に伸びる二辺の中のどちらか一方の二辺にそれぞれ装着固定されている縁材の間に、当該どちらか一方の二辺に装着固定されている縁材に平行に伸びて掲示物を掲示物の表面側から押さえる押さえ板１７が配備されている構造になっている。
【００５３】
図２、３図示の例では、上下方向に伸びる左右の縁材５、５の間に、当該左右の縁材５、５に平行に伸びて掲示物２を掲示物２の表面側から押さえる押さえ板１７、１７が配備されている。
【００５４】
掲示物の図２中、左右方向の長さが大きくない場合には、押さえ板１７一枚で押さえる構造にすることもできる。
【００５５】
押さえ板１７は、図２、３における掲示物２の左右方向の長さに応じて、一枚、あるいは複数枚設けることができる。例えば、図２、３における掲示物２の左右方向の長さ３０ｃｍ〜１００ｃｍ間隔で一枚ずつ設けることができる。
【００５６】
押さえ板１７は透明にすることができる。例えば、透明アクリル製の押さえ板１７、１７にすることができる。
【００５７】
押さえ板１７の開放縁１７ａは、図３図示のように、掲示物２を案内する逆面取り構造にすることで、掲示物２の挿入を容易することができる。
【００５８】
押さえ板１７を透明合成樹脂（例えばアクリル樹脂）とすることで、掲示物２を押圧する部分を可及的に少なくすると共に、押さえ板１７によって、大きな掲示物２であっても、安定保持し、かつ透明にして、掲示物２の露出度を拡大きくし、有効広告面積の拡大化を図ることができる。
【００５９】
アルミニウム材あるいは、アルミニウム複合材を主材とする縁材５と、発泡板３ｂをアルミニウム板又はアルミニウム薄板３ａ、３ａで挟着した複合板である表示基板３とからなる掲示板２０は軽量である。
【００６０】
そこで、両面接着テープで壁面へ固定できる。これによって、壁面への設置に両面テープを使用して固定し得るなどの容易性が確保できる。
【００６１】
すなわち、ポスター等の掲示物の保持を実施の形態１で説明した縁材５の使用によって確実にすると共に、全体が軽量になり、簡単容易確実に壁面設置ができる。
【００６２】
なお、経年変化を考慮し、安全性確保の面から、止ビス２４による固定にすることもできる。
【００６３】
この実施形態では、表示基板３と、ポスター２の縁部との間へ滑り止めパッキン条２５を介装し、ポスター２を一層確実に固定できるようにしている。
【００６４】
（実施の形態３）
図４を用いて、この考案の縁材５が使用されている、この考案の掲示板の他の一実施形態を説明する。
【００６５】
図４図示の掲示板２０は、実施の形態１で説明した縁材５が、平板状の表示基板３の周縁部を構成する相対向して平行に伸びる二辺（図４図示の実施形態では左右方向に伸びる上側の辺と、下側の辺）にそれぞれに装着固定され、二辺に直交し、相対向して平行に伸びる他の二辺（図４図示の実施形態では上下方向に伸びる左側の辺と、右側の辺）にそれぞれ断面コ状の他の縁材１１、１１が装着固定されている。
【００６６】
実施の形態１で説明したように、実施の形態１で説明した縁材５の表示基板嵌合用溝条部１ｂに平板状の表示基板３の周縁部を嵌装しただけで平板状の表示基板３の周縁部に表示基板嵌合用溝条部１ｂを装着、固定することができるが、接着剤を介装して装着、固定してもよい。
【００６７】
この実施形態では、表示基板３の左右の縁辺に、断面コ状の縁材１１を嵌装し、断面コ状縁材１１の内側へ、所定幅のアクリル樹脂製の押さえ材１２の一側を挿入している。表示基板３の左右の縁辺に両面接着テープ１３を介して押さえ板１２を固定し、押さえ板１２と断面コ状の縁材１１とを接着剤１４で固定している。
【００６８】
なお、表示基板３の周縁部への断面コ状の縁材１１の装着、固定も、断面コ状になっている縁材１１の溝部に平板状の表示基板３の周縁部を嵌装しただけで平板状の表示基板３の周縁部に断面コ状の他の縁材１１を装着、固定する構造にしたり、接着剤を介装して装着、固定することもできる。
【００６９】
図４図示の実施形態では、平板状の表示基板３の四周に、実施の形態１で説明した縁材５、断面コ状の他の縁材１１、実施の形態１で説明した縁材５、断面コ状の他の縁材１１が装着固定されて、表示基板３の四周に枠体が配備された構造の掲示板になっている。すなわち、掲示板用の縁材５と断面コ状の縁材１１との端縁同士の間が連結されて表示基板３の四周に枠体が配備された構造になっている。
【００７０】
なお、図示していないが、実施の形態２で説明したように、 表示基板３の四周に配備された、実施の形態１で説明した縁材５、断面コ状の他の縁材１１、実施の形態１で説明した縁材５、断面コ状の他の縁材１１からなる枠体の四隅角部をそれぞれ湾曲面の連結材で連結し、枠体の四隅角部を連結材を介して円滑外面に連結することができる。
【００７１】
この実施形態でも、実施の形態２と同じく、平板状の表示基板３の周縁部を構成する相対向して平行に伸びる二辺の中のどちらか一方の二辺にそれぞれ装着固定されている縁材の間に、当該どちらか一方の二辺に装着固定されている縁材に平行に伸びて掲示物を掲示物の表面側から押さえる透明な押さえ板１７が配備されている構造になっている。
【００７２】
図３図示の例では、上下方向に伸びる左右の断面コ状の縁材１１、１１の間に、当該左右の断面コ状の縁材１１、１１に平行に伸びて掲示物を掲示物の表面側から押さえる透明な押さえ板１７、１７が配備されている。
【００７３】
掲示物の図４中、左右方向の長さが大きくない場合には、透明な押さえ板１７一枚で抑える構造にすることもできる。
【００７４】
図４（ｂ）中、符号２２は掲示板２０が取り付けられる壁であり、符号１９は、断面コ状の他の縁材１１に設けた空気抜孔である。
【００７５】
以上、添付図面を参照して本考案の実施形態を説明したが、本考案はかかる実施形態に限定されるものではなく、実用新案登録請求の範囲の記載から把握される技術的範囲において種々に変更可能である。
【符号の説明】
【００７６】
５  縁材
１  基材
１ａ  平面部
１ｂ  表示基板嵌合用溝条部
１ｃ  ヒンジ結合用の円柱部
１ｄ  係止突起
２  掲示物
３  表示基板
３ａ  アルミニウム板又はアルミニウム薄板
３ｂ  発泡板
４  両面粘着テープ
６  押さえ材
６ａ、６ｂ  断面円弧状の溝条部
６ｃ  係止突起
７  弾性条
８  板バネ
１１、１１  断面コ状の他の縁材
１７  押さえ板
１７ａ  押さえ板の開放縁
２０  掲示板
２１  連結材
２２  掲示板が取り付けられる壁
【図１】
0003209090.tif 000003
【図２】
0003209090.tif 000004
【図３】
0003209090.tif 000005
【図４】
0003209090.tif 000006